(57)【特許請求の範囲】
【請求項１】
太陽電池パネルを、平坦な設置場所に対して傾斜した姿勢で、前記設置場所に沿うとともに前記太陽電池パネルの傾斜方向と交差する配列方向に、複数枚配列して設置するための太陽電池パネル支持架台であって、
前記配列方向に延在し、前記太陽電池パネルにおける前記傾斜方向の上側の端縁を支持する第１レールと、
前記第１レールと並行して前記配列方向に延在し、前記太陽電池パネルにおける前記傾斜方向の下側の端縁を支持する第２レールと、
前記第１レール及び前記第２レールの何れか一方若しくは双方を、自重により前記設置場所に不動設置するウェイトと、を備え、
前記第１レールは、前記太陽電池パネルにおける前記配列方向の幅の半分よりも長いレール部分が、前記配列方向に、該レール部分よりも短い間隙を開けて複数本配列されたものであり、
前記レール部分は、前記設置場所に沿って延在して前記ウェイトが載せられるウェイト載置板と、該ウェイト載置板に立設されて、前記太陽電池パネルの受光面に対する裏面側への風の進入を遮る風止め壁と、該風止め壁の上端縁に設けられて前記太陽電池パネルにおける前記上側の端縁が固定されるパネル固定部と、を有し、
前記風止め壁には、前記配列方向に延在して両端が開口した筒状の部分であって、前記太陽電池パネルに接続されるケーブルをその内側に配置可能なケーブル配置筒が設けられており、
前記ケーブル配置筒の内側に配置されたケーブルは、前記第１レールをなす複数本のレール部分の相互間の前記間隙を通って前記太陽電池パネルの前記裏面側に至り、該太陽電池パネルに接続されることを特徴とする太陽電池パネル支持架台。
【請求項２】
前記第２レールは、前記太陽電池パネルにおける前記配列方向の幅の半分と略同等、又は幅の半分よりも長いレール部分が、前記配列方向に複数本配列されたものであり、
前記第１レールのレール部分が、前記太陽電池パネルにおける前記配列方向の幅と略同等な長さを有しており、
１枚の前記太陽電池パネルにつき、前記第１レールをなすレール部分は、各１本ずつ、前記第２レールをなすレール部分は、各１本又は複数本設けられることを特徴とする請求項１に記載の太陽電池パネル支持架台。
【請求項３】
前記風止め壁には、該風止め壁から見て前記太陽電池パネルの中央側とは反対側に開放されて前記配列方向に延在する凹溝であって、前記太陽電池パネルに接続されるケーブルをその内側に配置可能なケーブル配置溝が設けられており、
前記ケーブル配置溝の内側に配置されたケーブルは、前記第１レールをなす複数本のレール部分の相互間の前記間隙を通って前記太陽電池パネルの前記裏面側に至り、該太陽電池パネルに接続されることを特徴とする請求項１又は２に記載の太陽電池パネル支持架台。
【請求項４】
複数枚の太陽電池パネルと、
太陽電池パネルを、平坦な設置場所に対して傾斜した姿勢で、前記設置場所に沿うとともに前記太陽電池パネルの傾斜方向と交差する配列方向に、複数枚配列して設置するための太陽電池パネル支持架台と、を備え、
前記太陽電池パネル支持架台が、請求項１〜３のうち何れか一項に記載の太陽電池パネル支持架台であることを特徴とする太陽光発電装置。
【発明の詳細な説明】
【技術分野】
【０００１】
本発明は、太陽電池パネルを複数枚配列して設置するための太陽電池パネル支持架台、及び、そのような太陽電池パネルを備えた太陽光発電装置に関する。
【背景技術】
【０００２】
地球環境問題に対する関心の高まりを受けて、温室効果ガスの削減等に効果が期待される太陽光発電が注目されている。太陽電池パネルを設置場所に設置する構造は以前より種々知られている。このような構造には、多くの場合、太陽電池パネルの支持に、設置場所にボルト等で固定された太陽電池パネル支持架台が利用される（例えば、特許文献１参照。）。
【０００３】
ここで、近年では、太陽電池パネルの設置場所として、例えばビルの屋上等といった平坦な屋根（以下、陸屋根と呼ぶ）が利用されることがある。このような陸屋根への設置に利用される太陽電池パネル支持架台として、ボルト等による固定構造を持たない非固定型の太陽電池パネル支持架台が提案されている（例えば、特許文献２参照。）。このような太陽電池パネル支持架台は、例えばコンクリートブロック等といったウェイトが載せられることで、その重量により設置場所に不動設置される。これにより、ボルト等による固定作業が不要となるので、固定型の太陽電池パネル支持架台に比べて太陽電池パネルの設置工事が簡素化される。また、陸屋根にボルト穴を設ける等といった、陸屋根自体に手を加える加工が不要となるので、陸屋根を傷めるといった事態も回避される。
【先行技術文献】
【特許文献】
【０００４】
【特許文献１】特開２００８−２４４２１９号公報
【特許文献２】特許第４６１４６６８号公報
【発明の概要】
【発明が解決しようとする課題】
【０００５】
ここで、上述したような非固定型の太陽電池パネル支持架台は、非固定型であるが故に、固定型の太陽電池パネル支持架台に比べると、太陽電池パネルの裏面へと吹き込む風に弱いという問題がある。風に対する耐性を向上させるために、風の吹きこみ口となりそうな箇所にカバーを設けることも考えられるが、このようなカバーの設置は、非固定型の太陽電池パネル支持架台が本来持っている良好な作業性を損なう場合がある。
【０００６】
尚、ここまで設置場所として陸屋根を例に挙げて、非固定型の太陽電池パネル支持架台ついての問題について説明した。しかしながら、このような問題は、陸屋根に設置される太陽電池パネル支持架台に限らず、例えば屋外駐車場の一部を太陽電池パネルの設置場所として利用する場合等、平坦な設置場所に設置される非固定型の太陽電池パネル支持架台に共通して生じ得る。
【０００７】
従って、本発明は、上記のような課題に着目し、作業性を低下させることなく風に対する耐性が向上した非固定型の太陽電池パネル支持架台及び太陽光発電装置を提供することを目的とする。
【課題を解決するための手段】
【０００９】
請求項１に記載の発明は、太陽電池パネルを、平坦な設置場所に対して傾斜した姿勢で、前記設置場所に沿うとともに前記太陽電池パネルの傾斜方向と交差する配列方向に、複数枚配列して設置するための太陽電池パネル支持架台であって、前記配列方向に延在し、前記太陽電池パネルにおける前記傾斜方向の上側の端縁を支持する第１レールと、前記第１レールと並行して前記配列方向に延在し、前記太陽電池パネルにおける前記傾斜方向の下側の端縁を支持する第２レールと、前記第１レール及び前記第２レールの何れか一方若しくは双方を、自重により前記設置場所に不動設置するウェイトと、を備え、前記第１レールは、前記太陽電池パネルにおける前記配列方向の幅の半分よりも長いレール部分が、前記配列方向に、該レール部分よりも短い間隙を開けて複数本配列されたものであり、前記レール部分は、前記設置場所に沿って延在して前記ウェイトが載せられるウェイト載置板と、該ウェイト載置板に立設されて、前記太陽電池パネルの受光面に対する裏面側への風の進入を遮る風止め壁と、該風止め壁の上端縁に設けられて前記太陽電池パネルにおける前記上側の端縁が固定されるパネル固定部と、を有し、前記風止め壁には、前記配列方向に延在して両端が開口した筒状の部分であって、前記太陽電池パネルに接続されるケーブルをその内側に配置可能なケーブル配置筒が設けられており、前記ケーブル配置筒の内側に配置されたケーブルは、前記第１レールをなす複数本のレール部分の相互間の前記間隙を通って前記太陽電池パネルの前記裏面側に至り、該太陽電池パネルに接続されることを特徴とする太陽電池パネル支持架台となっている。
請求項２に記載の発明は、請求項１に記載の太陽電池パネル支持架台において、前記第２レールは、前記太陽電池パネルにおける前記配列方向の幅の半分と略同等、又は幅の半分よりも長いレール部分が、前記配列方向に複数本配列されたものであり、前記第１レールのレール部分が、前記太陽電池パネルにおける前記配列方向の幅と略同等な長さを有しており、１枚の前記太陽電池パネルにつき、前記第１レールをなすレール部分は、各１本ずつ、前記第２レールをなすレール部分は、各１本又は複数本設けられることを特徴とする。
【００１０】
請求項３に記載の発明は、請求項１又は２に記載の太陽電池パネル支持架台において、前記風止め壁には、該風止め壁から見て前記太陽電池パネルの中央側とは反対側に開放されて前記配列方向に延在する凹溝であって、前記太陽電池パネルに接続されるケーブルをその内側に配置可能なケーブル配置溝が設けられており、前記ケーブル配置溝の内側に配置されたケーブルは、前記第１レールをなす複数本のレール部分の相互間の前記間隙を通って前記太陽電池パネルの前記裏面側に至り、該太陽電池パネルに接続されることを特徴とする。
【００１２】
また、請求項４に記載の発明は、上記課題を解決するために、複数枚の太陽電池パネルと、太陽電池パネルを、平坦な設置場所に対して傾斜した姿勢で、前記設置場所に沿うとともに前記太陽電池パネルの傾斜方向と交差する配列方向に、複数枚配列して設置するための太陽電池パネル支持架台と、を備え、前記太陽電池パネル支持架台が、請求項１〜３のうち何れか一項に記載の太陽電池パネル支持架台であることを特徴とする太陽光発電装置となっている。
【発明の効果】
【００１３】
請求項１及び請求項４に記載の発明によれば、太陽電池パネルにおける傾斜方向の上側の端縁を支持する第１レールを構成するレール部分に、太陽電池パネルの受光面に対する裏面側への風の進入を遮る風止め壁が設けられている。これにより、特に風の進入が懸念される、傾斜方向の上側の端縁から裏面側への風の進入が抑えられる。このとき、風止め壁は、太陽電池パネルの傾斜方向の上側の端縁と第１レールとの間を塞ぐが、第１レールが複数のレール部分に分割されておりレール部分毎の太陽電池パネルの設置が可能となっているため、風止め壁による作業性の低下が最小限に抑えられる。このように、請求項１及び請求項４に記載の発明によれば、作業性を低下させることなく風に対する耐性が向上した非固定型の太陽電池パネル支持架台及び太陽光発電装置を得ることができる。
【００１４】
また、請求項２に記載の発明によれば、第２レールも複数のレール部分に分割されていることから、太陽電池パネルの設置についての作業性を一層向上させることができる。
【００１５】
また、請求項３に記載の発明によれば、風止め壁から見て太陽電池パネルの中央側とは反対側に開放されて配列方向に延在するケーブル配置溝が設けられている。これにより、ケーブル配置溝へのケーブルの設置を、そのケーブルを目視しつつ行うことができる。また、設置後においても、設置されたケーブルの状態を目視確認することができる。
【００１６】
また、請求項１及び請求項４に記載の発明によれば、ケーブルをその内側に配置可能なケーブル配置筒が設けられている。これにより、特に周辺環境への露出を嫌うケーブルがある場合等に、そのようなケーブルをケーブル配置筒の内側に設置して周辺環境から隔離することができる。
【図面の簡単な説明】
【００１７】
【図１】本発明の一実施形態の太陽光発電装置を示す斜視図である。
【図２】図１に示されている太陽光発電装置を示す側面図である。
【図３】図１に示されている太陽光発電装置の分解斜視図である。
【図４】太陽電池パネルの出力端子に接続されるケーブルを示す図である。
【図５】図２における太陽電池パネルの上側の端縁近傍の領域Ａ１の拡大図である。
【図６】上側固定金具を示す斜視図である。
【図７】図２における太陽電池パネルの下側の端縁近傍の領域Ａ２の拡大図である。
【図８】下側固定金具を示す斜視図である。
【発明を実施するための形態】
【００１８】
本発明の一実施形態の太陽電池パネル支持架台及び太陽光発電装置について、図１〜図７を参照して説明する。図１は、本発明の一実施形態の太陽光発電装置を示す斜視図である。また、図２は、図１に示されている太陽光発電装置を示す側面図である。
【００１９】
本実施形態の太陽光発電装置１は、例えばビルの屋上等といった平坦な屋根である陸屋根に設置される。太陽光発電装置１は、６枚の太陽電池パネル１０と、これら６枚の太陽電池パネル１０を陸屋根に設置するための太陽電池パネル支持架台２０と、を備えている。
【００２０】
太陽電池パネル支持架台２０は、各太陽電池パネル１０を陸屋根に対して傾斜した姿勢で支持する。また、太陽電池パネル支持架台２０は、太陽電池パネル１０の傾斜方向Ｄ１に沿った縦配列方向Ｄ２に２列、傾斜方向と交差する横配列方向Ｄ３に３列に配列して６枚の太陽電池パネル１０を支持する。
【００２１】
太陽電池パネル支持架台２０は、第１レール２１０と、第２レール２２０と、ウェイト２３０と、を備えている。第１レール２１０は、横配列方向Ｄ３に延在し、太陽電池パネル１０における傾斜方向Ｄ１の上側の端縁１０ａを支持する。第２レール２２０は、第１レール２１０と並行して横配列方向Ｄ３に延在し、太陽電池パネル１０における傾斜方向Ｄ１の下側の端縁１０ｂを支持する。ウェイト２３０は、第１レール２１０及び第２レール２２０を、その重量により陸屋根上に不動設置する。また、第１レール２１０は、陸屋根上に敷かれたゴム製の滑り止めシート２４０の上に載置される。
【００２２】
ここで、本実施形態では、第１レール２１０が３本の第１レール部分２１１が横配列方向Ｄ３に配列されたものであり、第２レール２２０も３本の第２レール部分２２１が横配列方向Ｄ３に配列されたものとなっている。
【００２３】
図３は、図１に示されている太陽光発電装置の分解斜視図である。この図３には、太陽光発電装置１において横配列方向Ｄ３に配列される２枚の太陽電池パネル１０の周辺構造についての分解斜視図が示されている。
【００２４】
第１レール２１０をなす第１レール部分２１１は、太陽電池パネル１０における横配列方向Ｄ３の幅の半分よりも長く、具体的には、太陽電池パネル１０における横配列方向Ｄ３の幅と略同等な長さを有している。第２レール２２０をなす第２レール部分２２１は、太陽電池パネル１０における横配列方向Ｄ３の幅の半分と略同等、又は幅の半分よりも長く、具体的には、太陽電池パネル１０における横配列方向Ｄ３の幅と略同等な長さを有している。第１レール部分２１１と第２レール部分２２１とは、互いに同じ長さに形成されている。そして、１枚の太陽電池パネル１０につき、第１レール２１０をなす第１レール部分２１１と、第２レール２２０をなす第２レール部分２２１と、が各々１本ずつ設けられている。
【００２５】
第１レール２１０をなす第１レール部分２１１は、太陽電池パネル１０における横配列方向Ｄ３の幅の半分よりも長く、具体的には、太陽電池パネル１０における横配列方向Ｄ３の幅と略同等な長さを有している。同様に、第２レール２２０をなす第２レール部分２２１も、太陽電池パネル１０における横配列方向Ｄ３の幅の半分よりも長く、具体的には、太陽電池パネル１０における横配列方向Ｄ３の幅と略同等な長さを有している。第１レール部分２１１と第２レール部分２２１とは、互いに同じ長さに形成されている。そして、１枚の太陽電池パネル１０につき、第１レール２１０をなす第１レール部分２１１と、第２レール２２０をなす第２レール部分２２１と、が各々１本ずつ設けられている。
【００２６】
第１レール部分２１１は、横配列方向Ｄ３に、第１レール部分２１１よりも短い間隙ｄを開けて３本配列されて第１レール２１０を構成している。第２レール部分２２１も横配列方向Ｄ３に、同様の間隙ｄを開けて３本配列されて第２レール２２０を構成している。
【００２７】
滑り止めシート２４０は、第１レール部分２１１や第２レール部分２２１の両端それぞれに２枚ずつ陸屋根上に敷かれる。そして、滑り止めシート２４０に載せられた第１レール部分２１１や第２レール部分２２１の両端それぞれがウェイト２３０によって不動設置される。横配列方向Ｄ３に隣り合う２本の第１レール部分２１１の端部や、２本の第２レール部分２２１の端部が１個のウェイト２３０によって不動設置される。また、縦配列方向Ｄ２に隣り合う第１レール部分２１１及び第２レール部分２２１も１個のウェイト２３０によって不動設置される。
【００２８】
ここで、第１レール２１０をなす第１レール部分２１１には、図２や図３に示されているように各太陽電池パネル１０の裏面に設けられた±２つの出力端子に接続されるケーブル２５０が、後述するように設置されている。
【００２９】
図４は、太陽電池パネルの出力端子に接続されるケーブルを示す図である。この図４に示されているように、第１レール部分２１１に設置されたケーブル２５０は、隣り合う２本の第１レール部分２１１の間の間隙ｄを通って太陽電池パネル１０の裏面へと向かう。間隙ｄは、このようなケーブル２５０の取り回しが可能な間隙となっている。このように各太陽電池パネル１０の出力端子に接続されたケーブル２５０は、第１レール部分２１１側で束ねられ、横配列方向Ｄ３の端部の第１レール部分２１１から外部へと向かい、建物に設けられた不図示のパワーコンディショナーへと配索される。
【００３０】
本実施形態では、図３に示されているように、各太陽電池パネル１０における傾斜方向Ｄ１の上側の端縁１０ａは、２個の上側固定金具２６１によって第１レール部分２１１に固定され、傾斜方向Ｄ１の下側の端縁１０ｂは、２個の下側固定金具２６２によって第２レール部分２２１に固定される。
【００３１】
図５は、図２における太陽電池パネルの上側の端縁近傍の領域Ａ１の拡大図であり、図６は、上側固定金具を示す斜視図である。
【００３２】
図５に示されているように、１枚の太陽電池パネル１０の上側の端縁１０ａを支持する第１レール部分２１１は、ウェイト載置板２１１ａと、風止め壁２１１ｂと、パネル固定部２１１ｃと、を有している。ウェイト載置板２１１ａは、陸屋根に敷かれた滑り止めシート２４０の上に置かれ、陸屋根に沿って延在してウェイト２３０が載せられる。風止め壁２１１ｂは、ウェイト載置板２１１ａに立設されて、太陽電池パネル１０の受光面１０ｃに対する裏面１０ｄ側への風Ｗ１の進入を遮る。パネル固定部２１１ｃは、風止め壁２１１ｂの上端縁に設けられて太陽電池パネル１０における上側の端縁１０ａが、上側固定金具２６１によって固定される。
【００３３】
パネル固定部２１１ｃは、太陽電池パネル１０の設置場所側の面である裏面１０ｄにおける上側の端縁１０ａの近傍が載せられる載置面２１１ｃ−１を有しており、この載置面２１１ｃ−１には、上側固定金具２６１をボルト２６３及びナット２６４によって固定するための固定溝２１１ｃ−２が設けられている。
【００３４】
上側固定金具２６１は、太陽電池パネル１０における上側の端縁１０ａの近傍を上記の載置面２１１ｃ−１との間に挟んで第１レール部分２１１に固定されることで、この上側の端縁１０ａを第１レール部分２１１に固定する金具である。この上側固定金具２６１は、係止部２６１ａと金具側固定部２６１ｂとを有している。係止部２６１ａは、太陽電池パネル１０における上側の端縁１０ａにおける側面から受光面１０ｃ側へとかけて係止する。金具側固定部２６１ｂは、係止部２６１ａから、太陽電池パネル１０における上側の端縁１０ａとは反対側に延出し、ボルト２６３及びナット２６４によって第１レール部分２１１のパネル固定部２１１ｃに固定される。
【００３５】
金具側固定部２６１ｂには、上側固定金具２６１が第１レール部分２１１に取り付けられたときに縦配列方向Ｄ２に延びる長孔２６１ｃが設けられている。図５に示されているように第１レール部分２１１の固定溝２１１ｃ−２にネジ頭２６３ａが嵌め込まれたボルト２６３のネジ部分がこの長孔２６１ｃを貫通する。貫通したネジ部分に平ワッシャ２６５とバネワッシャ２６６を介してナット２６４が締結される。このナット２６４の締結により金具側固定部２６１ｂ、つまりは上側固定金具２６１が第１レール部分２１１に固定される。
【００３６】
このとき、図５に示されているように、係止部２６１ａが、太陽電池パネル１０における上側の端縁１０ａに係止する。ここで、上記の金具側固定部２６１ｂにおける第１レール部分２１１側となる裏面２６１ｄには、第１レール部分２１１に向かって突出する突出部２６１ｅが設けられている。この突出部２６１ｅにより、ナット２６４がボルト２６３に締結される際には、図５に矢印Ｄ４で示されているように、この締結による固定点を中心に係止部２６１ａが載置面２１１ｃ−１側に傾いて太陽電池パネル１０における上側の端縁１０ａに係止するようになっている。
【００３７】
また、第１レール部分２１１において、上記のように太陽電池パネル１０の受光面１０ｃに対する裏面１０ｄ側への風Ｗ１の進入を遮る風止め壁２１１ｂには、ケーブル配置溝２１１ｂ−１と、ケーブル配置筒２１１ｂ−２とが設けられている。
【００３８】
ケーブル配置溝２１１ｂ−１は、風止め壁２１１ｂから見て太陽電池パネル１０の中央側とは反対側に開放されて横配列方向Ｄ３に延在する凹溝である。このケーブル配置溝２１１ｂ−１の内側には、太陽電池パネル１０に接続されるケーブル２５２を配置可能となっている。このケーブル配置溝２１１ｂ−１の内側に配置されたケーブル２５２は、図４に示されているように、互いに隣り合う第１レール部分２１１の相互間の間隙ｄを通って太陽電池パネル１０の裏面側に至り、太陽電池パネル１０に接続される。
【００３９】
ケーブル配置筒２１１ｂ−２は、横配列方向Ｄ３に延在して両端が開口した筒状の部分である。このケーブル配置筒２１１ｂ−２の内側にも、太陽電池パネル１０に接続されるケーブル２５２を配置可能となっている。このケーブル配置筒２１１ｂ−２の内側に配置されたケーブル２５２も、ケーブル配置溝２１１ｂ−１の内側に配置されたケーブル２５２と同様に、互いに隣り合う第１レール部分２１１の相互間の間隙ｄを通って太陽電池パネル１０の裏面側に至り、太陽電池パネル１０に接続される。
【００４０】
本実施形態では、ケーブル配置筒２１１ｂ−２が、ウェイト載置板２１１ａから上下方向に２段に設けられ、ケーブル配置溝２１１ｂ−１が最上段に１つ設けられている。また、本実施形態では、太陽電池パネル１０の出力端子に接続されるケーブル２５２の配置場所として、最上段で開放されているケーブル配置溝２１１ｂ−１が使われている。
【００４１】
ここで、第１レール部分２１１のウェイト載置板２１１ａは、図５に示されているように、風止め壁２１１から見て太陽電池パネル１０の中央側とは反対側へと延在している。そして、ケーブル配置溝２１１ｂ−１は、ウェイト載置板２１１ａにウェイト２３０が載せられたときにウェイト２３０がケーブル配置溝２１１ｂ−１に達する位置に設けられている。本実施形態では、ウェイト２３０が、ケーブル配置溝２１１ｂ−１の内側に配置されたケーブル２５２の抜け止めの役割を担っている。
【００４２】
図７は、図２における太陽電池パネルの下側の端縁近傍の領域Ａ２の拡大図であり、図８は、下側固定金具を示す斜視図である。
【００４３】
図７に示されているように、１枚の太陽電池パネル１０の下側の端縁１０ｂを支持する第２レール部分２２１は、ウェイト２３０が載せられるウェイト載置板２２１ａと、このウェイト載置板２２１ａと一体に設けられて太陽電池パネル１０における下側の端縁１０ｂが固定されるパネル固定部２２１ｂと、を有している。ウェイト載置板２２１ａは、陸屋根に敷かれた滑り止めシート２４０の上に置かれ、陸屋根に沿って延在してウェイト２３０が載せられる。パネル固定部２２１ｂには、太陽電池パネル１０の設置場所側の面である裏面１０ｄにおける下側の端縁１０ｂの近傍が載せられる載置面２２１ｂ−１が設けられている。この載置面２２１ｂ−１には、太陽電池パネル１０における下側の端縁１０ｂを載置面２２１ｂ−１上に仮支持する仮支持突起２２１ｂ−２が立接されている。仮支持突起２２１ｂ−２には、載置面２２１ｂ−１にその近傍が載せられた太陽電池パネル１０における下側の端縁１０ｂが当接し、仮支持突起２２１ｂ−２は、その当接により下側の端縁１０ｂを支持する。この仮支持突起２２１ｂ−２は、第２レール部分２２１の長さ方向に延在する凸条となっている。
【００４４】
仮支持突起２２１ｂ−２によって載置面２２１ｂ−１上に仮支持された太陽電池パネル１０における下側の端縁１０ｂは、下側固定金具２６２によって第２レール部分２２１のパネル固定部２２１ｂに固定される。パネル固定部２２１ｂの載置面２２１ｂ−１には、下側固定金具２６２をボルト２６７及びナット２６８によって固定するための固定溝２２１ｂ−３が設けられている。
【００４５】
下側固定金具２６２は、仮支持突起２２１ｂ−２によって仮支持された太陽電池パネル１０における下側の端縁１０ｂの近傍をパネル固定部２２１ｂの載置面２２１ｂ−１との間に挟んでパネル固定部２２１ｂに固定される。これにより、下側固定金具２６２は、太陽電池パネル１０における下側の端縁１０ｂをパネル固定部２２１ｂ、つまりは第２レール部分２２１に固定する。
【００４６】
この下側固定金具２６２は、係止部２６２ａと、金具側固定部２６２ｂと、突出部２６２ｃと、を有している。係止部２６２ａは、上記の下側の端縁１０ｂにおいて仮支持突起２２１ｂ−２に当接している部分を除いた側面から受光面１０ｃ側にかけて係止する。金具側固定部２６２ｂは、係止部２６２ａから上記の下側の端縁１０ｂとは反対側に延出し、延出途中の固定点で第２レール部分２２１に固定される。
【００４７】
金具側固定部２６２ｂには、下側固定金具２６２が第２レール部分２２１に取り付けられたときに縦配列方向Ｄ２の略中央となる固定点に貫通孔２６２ｄが設けられている。図７に示されているように第２レール部分２２１の固定溝２２１ｂ−３にネジ頭２６７ａが嵌め込まれたボルト２６７のネジ部分がこの貫通孔２６２ｄを貫通する。貫通したネジ部分に平ワッシャ２６９とバネワッシャ２７０を介してナット２６８が締結される。このナット２６８の締結により金具側固定部２６２ｂ、つまりは下側固定金具２６２が第２レール部分２２１に固定される。
【００４８】
下側固定金具２６２の突出部２６２ｃは、固定点としての貫通孔２６２ｄを挟んで係止部２６２ａとは反対側の位置から第２レール部分２２１に向かって突出して第２レール部分２２１に先端が当接する。そして、この突出部２６２ｃの突出量が、固定点としての貫通孔２６２ｄを中心に係止部２６２ａを、図７に矢印Ｄ５で示されているように、載置面２２１ｂ−１側に傾けて太陽電池パネル１０における下側の端縁１０ｂに係止させる突出量となっている。突出部２６２ｃの突出方向先端が第２レール部分２２１に当接した後に、係止部２６２ａが前記固定点を中心に載置面２２１ｂ−１側に傾く。
【００４９】
以上に説明した太陽光発電装置１の陸屋根への設置は、次のような手順で行われる。
【００５０】
まず、設置場所からは離れ、作業のし易い広い場所で、６枚の太陽電池パネル１０のそれぞれの上側の端縁１０ａが第１レール部分２１１に固定されるとともに下側の端縁１０ｂが第２レール部分２２１に固定される。
【００５１】
各太陽電池パネル１０について見ると、上記の作業では、先ず太陽電池パネル１０一枚分の間隔を空けて平行に配置された第１レール部分２１１及び第２レール部分２２１の上に太陽電池パネル１０が載置されて、その後に上側固定金具２６１及び下側固定金具２６２を用いた固定が行われる。このとき、太陽電池パネル１０の載置に当たっては、太陽電池パネル１０における下側の端縁１０ｂが、第２レール部分２２１の仮支持突起２２１ｂ−２に当接するように太陽電池パネル１０を載置する。このような仮支持によって太陽電池パネル１０の位置が決まった状態で、上側の端縁１０ａが上側固定金具２６１によって第１レール部分２１１に固定され、下側の端縁１０ｂが下側固定金具２６２によって固定される。尚、この際に、第１レール部分２１１や第２レール部分２２１を安定させるために、各レール部分２１１，２２１のウェイト載置板２１１ａ，２２１ａにウェイト２３０が適宜に載せられる。
【００５２】
そして、各太陽電池パネル１０が、端縁１０ａ，１０ｂが固定されている第１レール部分２１１及び第２レール部分２２１と一緒に陸屋根上の設置場所に運ばれて、縦配列方向Ｄ２に２列、横配列方向Ｄ３に３列に配列される。設置場所には、太陽電池パネル１０の配列に先立って滑り止めシート２４０が置かれる。太陽電池パネル１０の配列は、この設置場所に置かれた滑り止めシート２４０に第１レール部分２１１及び第２レール部分２２１を載せるように行われる。
【００５３】
この配列により、３本の第１レール部分２１１が横配列方向Ｄ３に間隙ｄを開けて配列されて第１レール２１０が構成され、３本の第２レール部分２２１が横配列方向Ｄ３に間隙ｄを開けて配列されて第２レール２２０が構成される。また、この配列の際に、第１レール部分２１１におけるケーブル配置溝２１１ｂ−１へのケーブル２５０の配置と、間隙ｄを経て太陽電池パネル１０の裏面へと向かわせて出力端子に接続するというケーブル２５０の配線作業が行われる。
【００５４】
配列及びケーブル２５０の配線作業の後に、第１レール部分２１１のウェイト載置板２１１ａや第２レール部分２２１のウェイト載置板２２１ａの上にウェイト２３０が載置される。これにより、第１レール部分２１１及び第２レール部分２２１、つまりは第１レール２１０及び第２レール２２０が不動設置されて太陽光発電装置１の設置が完了する。
【００５５】
本実施形態の太陽電池パネル支持架台２０及び太陽光発電装置１によれば、太陽電池パネル１０における傾斜方向Ｄ１の上側の端縁１０ａを支持する第１レール２１０を構成する第１レール部分２１１に、太陽電池パネル１０の受光面１０ｃに対する裏面１０ｄ側への風の進入を遮る風止め壁２１１ｂが設けられている。これにより、特にその進入が懸念される、傾斜方向Ｄ１の上側の端縁１０ａから裏面１０ｄ側への風Ｗ１の進入が抑えられる。
【００５６】
このとき、風止め壁２１１ｂは、太陽電池パネル１０における上側の端縁１０ａと第１レール２１０との間を塞ぐが、第１レール２１０が３本の第１レール部分２１１に分割されており第１レール部分２１１毎の太陽電池パネル１０の設置が可能となっているため、風止め壁２１１ｂによる作業性の低下が最小限に抑えられる。このように、本実施形態の太陽電池パネル支持架台２０及び太陽光発電装置１は、作業性を低下させることなく風に対する耐性が向上した非固定型の太陽電池パネル支持架台及び太陽光発電装置となっている。
【００５７】
また、本実施形態の太陽電池パネル支持架台２０及び太陽光発電装置１によれば、１枚の太陽電池パネル１０につき、第１レール２１０をなす第１レール部分２１１と、第２レール２２０をなす第２レール部分２２１と、が各々１本ずつ設けられる。これにより、スペースが限られる設置場所とは別の場所で、太陽電池パネル１０と各レール部分２１１，２２１との固定作業を行い、設置場所にはレール部分固定済みの太陽電池パネル１０を運ぶ、という作業性の良好な設置が可能となる。このように、本実施形態の太陽電池パネル支持架台２０及び太陽光発電装置１によれば、太陽電池パネル１０の設置についての作業性を一層向上させることができる。
【００５８】
また、本実施形態の太陽電池パネル支持架台２０及び太陽光発電装置１によれば、風止め壁２１１から見て太陽電池パネル１０の中央側とは反対側に開放されて横配列方向Ｄ３に延在するケーブル配置溝２１１ｂ−１が設けられている。これにより、ケーブル配置溝２１１ｂ−１へのケーブル２５０の設置を、そのケーブル２５０を目視しつつ行うことができる。また、設置後においても、設置されたケーブル２５０の状態を目視確認することができる。
【００５９】
ここで、本実施形態では、ケーブル配置溝２１１ｂ−１は、ウェイト載置板２１１ａにウェイト２３０が載せられたときにウェイト２３０がケーブル配置溝２１１ｂ−１に達する位置に設けられている。そして、ウェイト２３０が、ケーブル配置溝２１１ｂ−１の内側に配置されたケーブル２５０の抜け止めの役割を担っている。これにより、ケーブル２５０を安定的に配置することができる。
【００６０】
また、本実施形態の太陽電池パネル支持架台２０及び太陽光発電装置１によれば、ケーブル２５０をその内側に配置可能なケーブル配置筒２１１ｂ−２も設けられている。これにより、特に周辺環境への露出を嫌うケーブルがある場合等に、そのようなケーブルをケーブル配置筒２１１ｂ−２の内側に設置して周辺環境から隔離することができる。尚、本実施形態では、上述したケーブル配置溝２１１ｂ−１にのみケーブル２５０が配置されている。
【００６１】
また、本実施形態の太陽電池パネル支持架台２０及び太陽光発電装置１によれば、太陽電池パネル１０における傾斜方向Ｄ１の下側の端縁１０ｂを支持する第２レール２２０に、下側固定金具２６２による固定に先立ってその下側の端縁１０ｂを上記載置面２２１ｂ−１上に仮支持する仮支持突起２２１ｂ−２が設けられている。下側固定金具２６２による固定は、下側の端縁１０ｂの近傍を載置面２２１ｂ−１との間に挟んで第２レール部分２２１に下側固定金具２６２が固定されることで行われる。この下側固定金具２６２による固定の前で、太陽電池パネル１０の設置場所側となる裏面１０ｄにおける、下側の端縁１０ｂの近傍が第２レール部分２２１の載置面２２１ｂ−１に載せられる前には、この載置面２２１ｂ−１の上方は開放された状態にある。このため、上記の仮支持は、第２レール部分２２１の載置面２２１ｂ−１に太陽電池パネル１０の裏面１０ｄにおける下側の端縁１０ｂの近傍を単純に載せてその下側の端縁１０ｂを仮支持突起２２１ｂ−２に当接させるだけで行われる。また、その後の下側固定金具２６２による固定は、仮支持された下側の端縁１０ｂの近傍に下側固定金具２６２を単純に重ねてボルト２６７等で第２レール部分２２１に固定するだけでよい。このような仮支持や下側固定金具２６２による固定は、作業スペースが狭くとも容易に行うことができる。つまり、本実施形態の太陽電池パネル支持架台２０及び太陽光発電装置１によれば、作業スペースが狭くとも太陽電池パネル１０を容易に設置することができる。
【００６２】
また、本実施形態の太陽電池パネル支持架台２０及び太陽光発電装置１によれば、仮支持突起２２１ｂ−２が、第２レール部分２２１の長さ方向延在して立設された凸条であるので、太陽電池パネル１０の下側の端縁１０ｂの仮支持について、その安定性を向上させることができる。
【００６３】
また、本実施形態の太陽電池パネル支持架台２０及び太陽光発電装置１によれば、下側固定金具２６２が有する突出部２６２ｃにより、この下側固定金具２６２の係止部２６２ａが載置面２２１ｂ−１側に傾いて太陽電池パネル１０の下側の端縁１０ｂに係止するようになっている。これにより、下側固定金具２６２による太陽電池パネル１０の下側の端縁１０ｂの固定強度を強化することができる。
【００６４】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の太陽電池パネル支持架台や太陽光発電装置の構成を具備する限り、勿論、本発明の範疇に含まれるものである。
【００６５】
例えば、上述した実施形態では、本発明にいう太陽電池パネル支持架台や太陽光発電装置の一例として、６枚の太陽電池パネル１０を３行３列に配列して支持する太陽電池パネル支持架台２０や太陽光発電装置１が例示されている。しかしながら、本発明にいう太陽電池パネル支持架台や太陽光発電装置はこれに限るものではなく、具体的な太陽電池パネルの数や配列を問うものではない。
【００６６】
また、上述した実施形態では、本発明にいう太陽電池パネル支持架台や太陽光発電装置の一例として、太陽電池パネル１０の裏面１０ｄにおける、下側の端縁１０ｂの近傍が載せられる第２レール部分２２１の載置面２２１ｂ−１が平坦な面で構成された太陽電池パネル支持架台２０や太陽光発電装置１が例示されている。しかしながら、本発明にいう太陽電池パネル支持架台や太陽光発電装置はこれに限るものではなく、例えば櫛歯状に並ぶ複数の突起の先端の集合によって形成される載置面等であってもよい。太陽電池パネルの設置場所側の面における、前記下側の端縁の近傍が載せられる載置面は、このような載置が可能な面であれば、その具体的な構成を問うものではない。
【００６７】
また、上述した実施形態では、本発明にいう太陽電池パネルの一例として平面視で長方形状を有する太陽電池パネル１０が例示されている。しかしながら、本発明にいう太陽電池パネルはこれに限るものではない。本発明にいう太陽電池パネルは、傾斜して配置したときに傾斜方向の上側と下側に端縁を有するものであれば、その具体的形状を問うものではない。
【００６８】
また、上述した２つの実施形態では、いずれも、本発明にいう設置場所の一例として、陸屋根が例示されている。しかしながら、本発明にいう設置場所はこれに限るものではなく、平坦な設置場所であれば屋外の平坦な地面等であってもよい。
【符号の説明】
【００６９】
１      太陽光発電装置
１０    太陽電池パネル
１０ａ  上側の端縁
１０ｂ  下側の端縁
２０    太陽電池パネル支持架台
２１０  第１レール
２１１  第１レール部分
２１１ａ  ウェイト載置板
２１１ｂ  風止め壁
２１１ｂ−１  ケーブル配置溝
２１１ｂ−２  ケーブル配置筒
２１１ｃ  パネル固定部
２２０  第２レール
２２１  第２レール部分
２２１ｂ−１  載置面
２２１ｂ−２  仮支持突起
２３０  ウェイト
２４０  滑り止めシート
２５０  ケーブル
２６１  上側固定金具
２６１ａ，２６２ａ  係止部
２６１ｂ，２６２ｂ  金具側固定部
２６２  下側固定金具
２６２ｃ  突出部
Ｄ１    傾斜方向
Ｄ２    縦配列方向
Ｄ３    横配列方向
Ｗ１    風
ｄ      間隙
【図１】
0006453170.tif 000002
【図２】
0006453170.tif 000003
【図３】
0006453170.tif 000004
【図４】
0006453170.tif 000005
【図５】
0006453170.tif 000006
【図６】
0006453170.tif 000007
【図７】
0006453170.tif 000008
【図８】
0006453170.tif 000009